(57)【要約】混雑したアセット環境内の悪い状態を特定するためのシステムおよび方法は、アセットの状態を監視するセンサと関連付けられた複数のワイヤレス送受信機を提供することであって、長距離動作モードにおける複数のワイヤレス送受信機のそれぞれは、伝送電力を高出力電力に調節する、ことと、センサ受信機を用いて長距離動作モードを使用するアセットの状態を監視することと、複数のワイヤレス送受信機のうちの少なくとも１つによってアラームをセンサ受信機に通信することと、センサ受信機によってコマンドを複数のワイヤレス送受信機の全てに伝送し、低伝送電力出力に切り替え、アイテムの特定を可能にすることと、複数のワイヤレス送受信機のそれぞれを特定動作モードで動作するように切り替えることであって、伝送電力は、低出力電力に設定される、ことと、アラームを発生するセンサを特定することとを含む。
2018530802.tif 000002
【特許請求の範囲】
【請求項１】
混雑したアセット環境内の悪い状態を特定するための方法であって、前記方法は、
複数のワイヤレス送受信機を提供することであって、各ワイヤレス送受信機は、調節可能伝送電力を提供するように動作可能であり、前記複数のワイヤレス送受信機のそれぞれは、アセットの状態を監視するセンサと関連付けられている、ことと、
前記伝送電力を高出力電力に調節する、長距離動作モードで各ワイヤレス送受信機を動作させることと、
センサ受信機を用いて前記長距離動作モードを使用する前記アセットの状態を監視することと、
前記複数のワイヤレス送受信機のうちの少なくとも１つによって、アラームを前記センサ受信機に通信することと、
前記センサ受信機によって前記複数のワイヤレス送受信機の全てにコマンドを伝送し、低伝送電力出力に切り替え、アイテムの特定を可能にすることと、
前記複数のワイヤレス送受信機のそれぞれを特定動作モードで動作するように切り替えることであって、前記伝送電力は、低出力電力に設定される、ことと、
前記アラームを発生するセンサを特定することと
を含む、方法。
【請求項２】
前記長距離動作モードは、Ｂｌｕｅｔｏｏｔｈ（登録商標）低エネルギー伝送モードであり、前記特定動作モードは、Ｂｌｕｅｔｏｏｔｈ（登録商標）ビーコンモードである、請求項１に記載の方法。
【請求項３】
前記長距離動作モードは、送信機の最高可能出力電力を提供し、前記特定動作モードは、最低可能出力電力を提供する、請求項１または請求項２に記載の方法。
【請求項４】
最低可能出力電力は、他のアイテムから最小重複を提供する伝送距離を提供する、請求項３に記載の方法。
【請求項５】
前記アラームを発生するセンサを特定することは、前記アラームを発生するセンサを特定するために、前記センサ受信機を前記複数のワイヤレス送受信機のそれぞれに物理的に近接して設置することを含む、前記請求項のうちの１項に記載の方法。
【請求項６】
前記アラームは、通信しているワイヤレス送受信機と関連付けられたセンサが故障しているという信号を備える、前記請求項のうちの１項に記載の方法。
【請求項７】
前記センサ受信機は、モバイルコンピューティングデバイスを備える、前記請求項のうちの１項に記載の方法。
【請求項８】
前記センサ受信機は、固定部分およびモバイル部分を備える、前記請求項のうちの１項に記載の方法。
【請求項９】
前記アセットの状態は、温度、圧力、または時間から成る群から選択される、前記請求項のうちの１項に記載の方法。
【請求項１０】
混雑したアセット環境内の悪い状態を特定するためのシステムであって、前記システムは、
複数のワイヤレス送受信機であって、前記複数のワイヤレス送受信機のそれぞれは、アセットの状態を監視するセンサと関連付けられ、前記複数のワイヤレス送受信機のそれぞれは、調節可能伝送電力を提供するように動作可能である、複数のワイヤレス送受信機と、
前記複数のワイヤレス送受信機のそれぞれに通信可能に結合されたセンサ受信機であって、前記センサ受信機は、伝送電力を高出力電力に調節する、長距離動作モードで動作する前記複数のワイヤレス送受信機から伝送を受信することによって、前記アセットの状態を監視するように動作可能である、センサ受信機と
を備え、
前記複数のワイヤレス送受信機のそれぞれは、
伝送電力を高出力電力に調節する、長距離動作モードにおいて、前記アセットの状態と関連付けられた監視データを前記センサ受信機に通信することと、
前記長距離動作モードにおいて、アラームを前記センサ受信機に通信することと、
前記センサ受信機からの信号に応答して、特定動作モードで動作するように切り替えることであって、前記伝送電力は、低出力電力に設定される、ことと
を行うように動作可能であり、
前記センサ受信機はさらに、前記アラームを発生するセンサを特定するように動作可能である、システム。
【請求項１１】
前記長距離動作モードは、Ｂｌｕｅｔｏｏｔｈ（登録商標）低エネルギー伝送モードであり、前記特定動作モードは、Ｂｌｕｅｔｏｏｔｈ（登録商標）ビーコンモードである、請求項１０に記載のシステム。
【請求項１２】
前記長距離動作モードは、前記送信機の最高可能出力電力を提供し、前記特定動作モードは、最低可能出力電力を提供する、請求項１０または請求項１１に記載のシステム。
【請求項１３】
最低可能出力電力は、他のアイテムから最小重複を提供する伝送距離を提供する、請求項１２に記載のシステム。
【請求項１４】
前記アラームを発生するセンサを特定することは、前記アラームを発生するセンサを特定するために、前記センサ受信機を前記複数のワイヤレス送受信機のそれぞれに物理的に近接して設置することを含む、請求項１０−１３のうちの１項に記載のシステム。
【請求項１５】
前記アラームは、通信しているワイヤレス送受信機と関連付けられたセンサが故障しているという信号を備える、請求項１０−１４のうちの１項に記載のシステム。
【請求項１６】
前記センサ受信機は、モバイルコンピューティングデバイスを備える、請求項１０−１５のうちの１項に記載のシステム。
【請求項１７】
前記センサ受信機は、固定部分およびモバイル部分を備える、請求項１０−１６のうちの１項に記載のシステム。
【請求項１８】
前記アセットの状態は、温度、圧力、または時間から成る群から選択される、請求項１０−１７のうちの１項に記載のシステム。
【請求項１９】
混雑したアセット環境内の悪い状態を特定するためのシステムであって、前記システムは、
複数のアセットであって、前記複数のアセットのそれぞれは、前記アセットの状態を監視するセンサと関連付けられている、複数のアセットと、
複数のワイヤレス送受信機であって、前記複数のワイヤレス送受信機のそれぞれは、前記センサのうちの１つ以上と関連付けられ、前記複数のワイヤレス送受信機のそれぞれは、調節可能伝送電力を提供するように動作可能である、複数のワイヤレス送受信機と
を備え、
前記複数のワイヤレス送受信機のそれぞれは、
伝送電力を高出力電力に調節する、長距離動作モードにおいて、前記アセットの状態と関連付けられた監視データをセンサ受信機に通信することと、
前記長距離動作モードにおいて、アラームを前記センサ受信機に通信することと、
前記センサ受信機からの信号に応答して、特定動作モードで動作するように切り替えることであって、前記伝送電力は、低出力電力に設定される、ことと、
前記アラームを発生するセンサが特定されていると、前記センサ受信機から受信された第２の信号に応答して、前記長距離動作モードで動作することに戻ることと
を行うように動作可能である、システム。
【請求項２０】
前記長距離動作モードは、Ｂｌｕｅｔｏｏｔｈ（登録商標）低エネルギー伝送モードであり、前記特定動作モードは、Ｂｌｕｅｔｏｏｔｈ（登録商標）ビーコンモードである、請求項１９に記載のシステム。
【発明の詳細な説明】
【技術分野】
【０００１】
（関連出願への相互参照）
本出願は、同一出願人の、２０１５年７月２２日に出願された米国仮特許出願第６２／１９５，６３９号に対して優先権を主張する。上記文献は、全ての目的のためにここで参照することによって本明細書において援用される。
【０００２】
（技術分野）
本開示は、ワイヤレス追跡に関し、特に、スマートワイヤレスアセット追跡に関する。
【背景技術】
【０００３】
（背景）
ワイヤレスアセット追跡を実装するある環境は、それらのアセットの追跡を妨害し得る、アセットの混雑を被る。例えば、痛みやすい商品および医薬品を発送する冷蔵庫付きトラック等の用途は、典型的には、トラックの背後に複数のワイヤレスセンサを有する。これらのセンサは、温度、湿度等のその属性をセンサ受信機に送信するために十分な範囲を有する必要がある。伝送される値のうちの任意の１つに問題がある場合、問題を有するトラック内のセンサを容易に正確に検出することが望ましいであろう。本問題に対するある解決策は、２つの異なる無線送信機／受信機を使用することを含む。例えば、第１の無線送信機／受信機は、比較的に長距離を有する、Ｂｌｕｅｔｏｏｔｈ（登録商標）低エネルギー（「ＢＴＬＥ」）または類似範囲のワイヤレス無線であってもよい。本無線は、値をセンサ受信機に伝送するために使用されてもよい。しかしながら、より長い距離は、問題を隔離することの妨害となり得る。問題を伴う正確なセンサを位置特定するために、第２の無線（例えば、近距離通信「ＮＦＣ」無線）が、問題を隔離するために使用するために提案されている。しかしながら、２つの異なる無線送信機／受信機を使用することは、システムコストおよび複雑性を追加する。
【発明の概要】
【課題を解決するための手段】
【０００４】
（要約）
種々の実施形態によると、混雑したアセット環境内の悪い状態を特定するためのシステムおよび方法が、開示される。いくつかの実施形態では、本方法は、複数のワイヤレス送受信機を提供することであって、各ワイヤレス送受信機は、調節可能伝送電力を提供するように動作可能であり、複数のワイヤレス送受信機のそれぞれは、アセットの状態を監視するセンサと関連付けられる、ことと、高出力電力に調節する、長距離動作モードで各ワイヤレス送受信機を動作させることと、センサ受信機を用いて長距離動作モードを使用するアセットの状態を監視することと、複数のワイヤレス送受信機のうちの少なくとも１つによって、アラームをセンサ受信機に通信することと、センサ受信機によって複数のワイヤレス送受信機の全てにコマンドを伝送し、低伝送電力出力に切り替え、アイテムの特定を可能にすることと、複数のワイヤレス送受信機のそれぞれを特定動作モードで動作するように切り替えることであって、伝送電力は、低出力電力に設定される、ことと、アラームを発生するセンサを特定することとを含んでもよい。
【０００５】
いくつかの実施形態では、長距離動作モードは、Ｂｌｕｅｔｏｏｔｈ（登録商標）低エネルギー伝送モードであり、特定動作モードは、Ｂｌｕｅｔｏｏｔｈ（登録商標）ビーコンモードである。いくつかの実施形態では、長距離動作モードは、送信機の最高可能出力電力を提供し、特定動作モードは、最低可能出力電力を提供する。そのような実施形態では、最低可能出力電力は、他のアイテムから最小重複を提供する伝送距離を提供する。
【０００６】
いくつかの実施形態では、アラームを発生するセンサを特定することは、アラームを発生するセンサを特定するために、センサ受信機を複数のワイヤレス送受信機のそれぞれに物理的に近接して設置することを含んでもよい。いくつかの実施形態では、アラームは、通信しているワイヤレス送受信機と関連付けられたセンサが故障しているという信号を含んでもよい。
【０００７】
いくつかの実施形態では、センサ受信機は、モバイルコンピューティングデバイスを含んでもよい。代替実施形態では、センサ受信機は、固定部分およびモバイル部分を含んでもよい。いくつかの実施形態では、アセットの状態は、温度、圧力、および時間を含んでもよい。
【０００８】
種々の実施形態では、混雑したアセット環境内の悪い状態を特定することは、混雑したアセット環境内の悪い状態を特定するためのシステムを含んでもよい。本システムは、複数のワイヤレス送受信機であって、複数のワイヤレス送受信機のそれぞれは、アセットの状態を監視するセンサと関連付けられ、複数のワイヤレス送受信機のそれぞれは、調節可能伝送電力を提供するように動作可能である、複数のワイヤレス送受信機と、複数のワイヤレス送受信機のそれぞれに通信可能に結合される、センサ受信機であって、センサ受信機は、伝送電力を高出力電力に調節する、長距離動作モードで動作する複数のワイヤレス送受信機から伝送を受信することによって、アセットの状態を監視するように動作可能である、センサ受信機とを含んでもよい。複数のワイヤレス送受信機のそれぞれは、伝送電力を高出力電力に調節する、長距離動作モードにおいて、アセットの状態と関連付けられた監視データをセンサ受信機に通信することと、長距離動作モードにおいて、アラームをセンサ受信機に通信することと、センサ受信機からの信号に応答して、特定動作モードで動作するように切り替えることであって、伝送電力は、低出力電力に設定される、こととを行うように動作可能であってもよく、センサ受信機はさらに、アラームを発生するセンサを特定するように動作可能である。
【０００９】
いくつかの実施形態では、長距離動作モードは、Ｂｌｕｅｔｏｏｔｈ（登録商標）低エネルギー伝送モードであり、特定動作モードは、Ｂｌｕｅｔｏｏｔｈ（登録商標）ビーコンモードである。いくつかの実施形態では、長距離動作モードは、送信機の最高可能出力電力を提供し、特定動作モードは、最低可能出力電力を提供する。そのような実施形態では、最低可能出力電力は、他のアイテムから最小重複を提供する伝送距離を提供する。
【００１０】
いくつかの実施形態では、センサ受信機は、アラームを発生するセンサを特定するために、複数のワイヤレス送受信機のそれぞれに物理的に近接させることによって、アラームを発生するセンサを特定するように動作可能であってもよい。いくつかの実施形態では、アラームは、通信しているワイヤレス送受信機と関連付けられたセンサが故障しているという信号を含んでもよい。
【００１１】
いくつかの実施形態では、センサ受信機は、モバイルコンピューティングデバイスを含んでもよい。代替実施形態では、センサ受信機は、固定部分およびモバイル部分を含んでもよい。いくつかの実施形態では、アセットの状態は、温度、圧力、および時間を含んでもよい。
【００１２】
種々の実施形態では、混雑したアセット環境内の悪い状態を特定することは、混雑したアセット環境内の悪い状態を特定するためのシステムを含んでもよい。本システムは、複数のアセットであって、複数のアセットのそれぞれは、アセットの状態を監視するセンサと関連付けられる、複数のアセットと、複数のワイヤレス送受信機であって、複数のワイヤレス送受信機のそれぞれは、センサのうちの１つ以上と関連付けられ、複数のワイヤレス送受信機のそれぞれは、調節可能伝送電力を提供するように動作可能である、複数のワイヤレス送受信機とを含んでもよく、複数のワイヤレス送受信機のそれぞれは、伝送電力を高出力電力に調節する、長距離動作モードにおいて、アセットの状態と関連付けられた監視データをセンサ受信機に通信することと、長距離動作モードにおいて、アラームをセンサ受信機に通信することと、センサ受信機からの信号に応答して、特定動作モードで動作するように切り替えることであって、伝送電力は、低出力電力に設定される、ことと、アラームを発生するセンサが特定されていると、センサ受信機から受信された第２の信号に応答して、長距離動作モードで動作することに戻ることとを行うように動作可能である。
【図面の簡単な説明】
【００１３】
【図１】図１は、本開示のある実施形態による、それぞれが関連付けられた送受信機を伴う、複数のアセットを含む、例示的混雑したアセット環境を図示する。
【図２】図２は、本開示のある実施形態による、個別のアセットと関連付けられたセンサが悪い状態を識別した、例示的混雑したアセット環境を図示する。
【図３】図３は、本開示のある実施形態による、センサ受信機が複数のアセットと関連付けられた複数の送受信機のより低い伝送範囲内に入った、例示的混雑したアセット環境を図示する。
【図４】図４は、本開示のある実施形態による、悪いセンサが、動作から除去され、残りの良いセンサが、通常動作モードに戻った、例示的混雑したアセット環境を図示する。
【発明を実施するための形態】
【００１４】
（詳細な説明）
ワイヤレスアセット追跡を実装するある環境は、それらのアセットの追跡を妨害し得る、アセットの混雑を被る。例えば、痛みやすい商品および医薬品を発送する冷蔵庫付きトラック等の用途は、典型的には、トラックの背後に複数のワイヤレスセンサを有する。これらのセンサは、温度、湿度等のその属性をセンサ受信機に送信するために十分な範囲を有する必要がある。伝送される値のうちの任意の１つに問題がある場合、問題を有するトラック内のセンサを容易に正確に検出することが望ましいであろう。本問題に対するある解決策は、２つの異なる無線送信機／受信機を使用することを含む。例えば、第１の無線送信機／受信機は、比較的に長距離を有する、Ｂｌｕｅｔｏｏｔｈ（登録商標）低エネルギー（「ＢＴＬＥ」）または類似範囲のワイヤレス無線であってもよい。本無線は、値をセンサ受信機に伝送するために使用されてもよい。しかしながら、より長い距離は、問題を隔離することの妨害となり得る。問題を伴う正確なセンサを位置特定するために、第２の無線（例えば、近距離通信「ＮＦＣ」無線）が、問題を隔離するために使用するために提案されている。しかしながら、２つの異なる無線送信機／受信機の使用は、システムコストおよび複雑性を追加する。別の提案される解決策は、ディスプレイを各追跡されるアセットを追加するものである（例えば、エラー状態を示すために）。しかしながら、本解決策は、コスト集約的であり、アイテムの数が非常に多いとき、問題を実際に解決するものではない場合がある。問題を有するものを見つけるために全ての箱を開梱することもまた、明らかに実践的解決策ではあり得ない。問題を識別するために長距離のためのＢＴＬＥおよび短距離のためのＮＦＣ等の２つの無線システムを要求しない、解決策の必要性が存在する。
【００１５】
種々の実施形態によると、複数のアセットが、追跡されたアセット環境内に存在する。各アセットは、１つ以上のセンサならびにワイヤレス送受信機と関連付けられ、センサデータをセンサ受信機に通信してもよい。いくつかの実施形態では、ワイヤレス送受信機は、デフォルトによって、送受信機の長距離能力を用いて通信するように構成されてもよい。センサ受信機が、センサデータのいずれかから問題を検出する場合、センサ受信機は、複数のセンサに低電力伝送モードに転換するように通信するように動作可能であってもよい。いくつかの実施形態では、通信は、設定された時間周期にわたって、またはアイテムが見つかるまで無期限に、低電力伝送モードで動作する命令を含んでもよい。低電力伝送モードでは、付加的無線の必要なく、問題のあるデバイスを隔離することが可能であるべきである。設定された時間周期が切れた跡、またはアイテムが特定された後、センサ受信機は、再び、複数のセンサと通信し、長距離通信を用いたデフォルト動作モードに戻してもよい。
【００１６】
種々の実施形態によると、複数のアセットと関連付けられたワイヤレス送受信機は、Ｂｌｕｅｔｏｏｔｈ（登録商標）スマート送受信機を含んでもよい。概して、Ｂｌｕｅｔｏｏｔｈ（登録商標）スマート送受信機は、２つの異なる動作モード、すなわち、より高い電力かつより高域の「通常」モードと、より低い電力かつより低い低域の「ビーコン」モードとのうちの１つで使用されてもよい。本開示は、種々の実施形態におけるＢｌｕｅｔｏｏｔｈ（登録商標）スマートの使用を説明するが、他のワイヤレス技術も、送受信機がより長距離通信のためのより高い設定とより短距離通信のためのより低い設定との間でその送信機の出力電力を調節するように制御可能である限り、本開示の範囲から逸脱することなく使用されてもよい。
【００１７】
概して、通常Ｂｌｕｅｔｏｏｔｈ（登録商標）動作モードは、センサ値を、動作の通常モードのブロードキャスト範囲（例えば、数メートル）内にあるセンサ受信機に報告するためによく機能する。しかしながら、通常モードは、特に、アセットが数インチしか離れ得ない混雑したアセット環境内において、個別のアセットの場所を数インチまで識別する際、あまり効果的ではない場合がある。トラック内の複数の箱等の環境では、全てのユニットは、相互に非常に近接し、例えば、複数の送受信機の相対的信号強度をチェックすることによって、着目の箱を見つけることが非常に困難であり得る。
【００１８】
種々の実施形態によると、アセットが、高密度アセット／センサ環境内で識別される必要があるとき、センサ受信機は、複数の送受信機に通信してもよい（例えば、送受信機が「ウェークアップ」し、スマートタブレットに報告するとき）。本通信は、その動作モードをより低い電力伝送モードに変更する命令を含んでもよい。例えば、送受信機は、設定された時間周期にわたって、またはアイテムが見つかるまでの時間にわたって、（無線範囲を低下させる）Ｂｌｕｅｔｏｏｔｈ（登録商標）ビーコンモードに変更するように命令されてもよい。その時間フレーム内において、ユーザは、問題のあるアセットをよりよく識別するために、センサ受信機を送受信機のより短距離内に持って行ってもよい。例えば、ユーザは、スマートタブレットを箱のそれぞれ１つに近接させ、問題を伴うものを識別し、問題に対処してもよい。低電力設定に起因して、センサ受信機は、より低い電力通信と関連付けられた伝送半径が他のデバイスのものと有意に重複しないため、他のアイテムとの低減された干渉を予期し得る。その時間周期が切れた跡、センサ受信機は、送受信機に、長距離で通信するために通常動作モードに戻るように命令してもよい。
【００１９】
種々の代替実施形態によると、センサ受信機は、アラーム発生センサのみに、Ｂｌｕｅｔｏｏｔｈ（登録商標）ビーコンモードに切り替えるように命令してもよい。ユーザは、次いで、混雑したアセット／センサ環境に入り、より低い電力伝送モードで動作する送受信機を識別してもよい。
【００２０】
図１は、本開示のある実施形態による、複数のアセット１０２、１０４、１０６、１０８、１１０、１１２、１１４、１１６を含み、それぞれが、関連付けられた送受信機１０３、１０５、１０７、１０９、１１１、１１３、１１５、１１７を伴う、例示的混雑したアセット環境１００を図示する。いくつかの実施形態では、各送受信機１０３、１０５、１０７、１０９、１１１、１１３、１１５、１１７は、センサ受信機１０１に通信可能に結合されてもよい。
【００２１】
いくつかの実施形態では、混雑したアセット環境１００は、種々のセンサ読取値間の区別を困難するほど比較的に多数のアセットがともに物理的に混雑する、任意の適切な環境であってもよい。例えば、混雑したアセット環境１００は、倉庫または配達車両であってもよい。いくつかの実施形態では、混雑したアセット環境１００内の複数のアセット（例えば、アセット１０２、１０４、１０６、１０８、１１０、１１２、１１４、１１６）は、アセットのある特徴を追跡することが必要または望ましくあり得る、任意の適切なアセットであってもよい。例えば、アセットは、関連付けられた消費期限を有し得る。付加的実施例として、アセットは、ある状態（例えば、温度、圧力等）下で保管および／または輸送される必要があり得る。故に、種々の実施形態では、各アセット（例えば、アセット１０２、１０４、１０６、１０８、１１０、１１２、１１４、１１６）は、１つ以上の関連付けられたセンサを有してもよい。各関連付けられたセンサは、アセットと関連付けられた１つ以上のパラメータを監視するようにタスクが課されてもよい。例えば、アセットは、温度センサ、圧力センサ、タイマ等を有してもよい。
【００２２】
種々の実施形態では、アセットと関連付けられた各センサは、種々の監視されるデータをセンサ受信機１０１に通信してもよい。いくつかの実施形態では、センサ受信機１０１は、「中央コマンドデバイス」と称され得る。センサ受信機１０１は、固定（例えば、倉庫内）またはモバイル（例えば、配達車両内）であってもよい。センサ受信機１０１は、混雑したアセット環境１００のために適切であり、センサデータを複数のセンサから受信するように動作可能な任意の電子デバイスであってもよい。例えば、配達車両上では、センサ受信機１０１は、配達車両上のオペレータにアクセス可能なタブレットコンピュータであってもよい。センサ受信機１０１はまた、任意の適切なポータブル電子デバイス（例えば、スマートフォン、ラップトップコンピュータ等）であってもよい。付加的実施例として、倉庫環境では、センサ受信機１０１の一部は、固定（例えば、中央監視ステーションの一部として）であってもよい一方、センサ受信機１０１の別の部分は、ポータブル（例えば、倉庫内のユーザが問題のあるアセットまで持って行き得るタブレットコンピュータ）であってもよい。
【００２３】
いくつかの実施形態では、通常動作では、各センサは、比較的長距離無線周波数（「ＲＦ」）プロトコル、例えば、ＢＴＬＥを使用して、センサ受信機１０１と通信する。例えば、タブレット等の中央コマンドデバイスは、上記でより詳細に説明されるように、コマンドを全「良い」センサに送信し、伝送出力電力を低減させる、または具体的時間周期にわたって送信機をシャットオフしてもよい。本開示の目的のために、「良い」センサは、監視パラメータの確立された許容可能限界に準拠する、監視データを伝送する任意のセンサを指し得る。同様に、「悪い」センサまたは「悪い」状態は、監視パラメータの許容可能限界外にある、監視データを伝送する任意のセンサを指し得る。例えば、「良い」センサは、ある温度における保管を要求するアセットに関する温度データを伝送し、監視される温度が許容可能範囲内にある、センサを指し得る。例えば、アセットは、華氏３０〜５０度で保管される必要があり得る。「良い」センサは、アセットの現在の温度を４７度として識別するものであり得る一方、「悪い」センサは、アセットの現在の温度を５２度として識別するものであり得る。
【００２４】
悪い状態は、センサ故障または所定の閾値を超えるアラームトリップもしくは他の適切な通知状態の形態をとり得る。いったん悪い状態がセンサによって検出されると、それぞれのセンサは、センサ受信機１０１にアラートしてもよい。図２は、本開示のある実施形態による、個別のアセットと関連付けられたセンサが悪い状態と識別された、例示的混雑したアセット環境２００を図示する。図２は、複数のアセット１０２、１０４、１０６、１０８、１１０、１１２、１１４、１１６を含み、それぞれが、関連付けられた送受信機１０３、１０５、１０７、１０９、１１１、１１３、１１５、１１７を伴う、例示的混雑したアセット環境２００を図示する。いくつかの実施形態では、各送受信機１０３、１０５、１０７、１０９、１１１、１１３、１１５、１１７は、センサ受信機１０１に通信可能に結合されてもよい。
【００２５】
図２の例証的混雑したアセット環境２００では、アセット１１２と関連付けられたセンサは、悪い状態を識別している。具体的単一アセット１１２が、例証的混雑したアセット環境２００では、関連付けられた悪い状態を有するが、より多いまたは異なる状態が、本開示の範囲から逸脱することなく、所与の構成内に見出され得る。いったんアセット１１２と関連付けられたセンサが、悪い状態を識別すると、アセット１１２と関連付けられた送受信機１１３は、センサ受信機１０１に通知してもよい。
【００２６】
いくつかの実施形態では、各アセットは、関連付けられた送受信機を有してもよい。例えば、アセット１０２、１０４、１０６、１０８、１１０、１１２、１１４、１１６のそれぞれは、それぞれ、関連付けられた送受信機１０３、１０５、１０７、１０９、１１１、１１３、１１５、１１７を有してもよい。いくつかの実施形態では、送受信機は、関連付けられたアセットを監視する１つ以上のセンサの一体型部品であってもよい。同一または代替実施形態では、アセットを監視するようにタスクが課されたセンサデバイスは、監視データを通信するようにタスクが課された送受信機と別個であってもよい。例証的混雑したアセット環境２００では、アセット１１２と関連付けられた送受信機（例えば、送受信機１１３）は、センサ受信機１０１に、悪い状態がアセット１１２と関連付けられることを通知してもよい。
【００２７】
本通信を受信後、センサ受信機１０１は、コマンドを混雑したアセット環境アイテム内の全送受信機に送信し、その伝送出力電力を低減させてもよい。これは、所定の時間にわたって、またはユーザが悪い状態と関連付けられたアセットを検出し得るまでの無期限の時間周期にわたって、行われてもよい。本特定は、送受信機の比較的により低い電力設定を用いて行われてもよい。より低い電力設定では、送受信機の伝送範囲は、低減される。本より低い伝送範囲は、モバイルデバイスが、図３に示されるように、アラーム発生アイテムの位置／場所をより正確に判定することを可能にし得る。
【００２８】
送受信機のより低い電力伝送モードは、送受信機のより高い電力伝送モードと異なる無線送信機または受信機を要求しない。例えば、より低い電力伝送モードは、ＢＴＬＥプロトコルの「ビーコン」モードであってもよい。同一ＲＦタイプの異なる動作モードを利用することによって、混雑したアセット環境監視システムは、１つのワイヤレスタイプのみを使用することによってコストを削減させ得る。
【００２９】
図３は、センサ受信機１０１が本開示のある実施形態による、複数のアセットと関連付けられた複数の送受信機のより低い伝送範囲内に入った、例示的混雑したアセット環境３００を図示する。上記および図１−２を参照してより詳細に説明されるように、混雑したアセット環境３００は、複数のアセット（例えば、アセット１０２、１０４、１０６、１０８、１１０、１１２、１１４、１１６）を含み、それぞれが、１つ以上の関連付けられたセンサと、１つ以上の関連付けられた送受信機（例えば、送受信機１０３、１０５、１０７、１０９、１１１、１１３、１１５、１１７）とを伴ってもよい。送受信機のうちの１つ以上から（例えば、アセット１１２と関連付けられた送受信機１１３から）センサ受信機１０１に送信される悪い状態に起因して、ユーザは、悪い状態と関連付けられたアセットの物理的場所を判定するために、センサ受信機１０１のモバイル部分を複数のアセットにより近接近させてもよい。したがって、センサ受信機１０１（例えば、タブレットコンピュータ）自体が、アラームを生成したそれぞれのアイテムを特定するために使用されることができる。図１−２を参照して前述のように、センサ受信機１０１はまた、モバイル部分に加え、固定部分（例えば、倉庫内の中央監視システム）を含んでもよい。
【００３０】
いったん悪い状態と関連付けられたアセットが特定されると、アセットは、その状態に依存して、必要に応じて、除去、修理、または交換されることができる。いくつかの実施形態では、残りの良いセンサと関連付けられた送受信機は、通常のより高い電力（したがって、より高域）の伝送モードに戻ってもよい。図４は、本開示のある実施形態による、悪いセンサが動作から除去され、残りの良いセンサが動作の通常モードに戻った、例示的混雑したアセット環境４００を図示する。
【００３１】
混雑したアセット環境４００は、複数のアセット（例えば、アセット１０２、１０４、１０６、１０８、１１０、１１４、１１６）を含み、それぞれが、関連付けられた１つ以上のセンサを伴い、各センサは、関連付けられた１つ以上の送受信機（例えば、１０３、１０５、１０７、１０９、１１１、１１５、１１７）を有し、各送受信機は、センサ受信機１０１に通信可能に結合される。例証的混雑したアセット環境４００では、各送受信機１０３、１０５、１０７、１０９、１１１、１１４、１１７は、より高い電力のより高域伝送モード（例えば、「通常」ＢＴＬＥモード）で動作し、したがって、センサ受信機１０１が再びセンサ読取値を複数のアセットから受信することを可能にする。
【００３２】
あるタイプの混雑したアセット環境が、理解を支援するために、図１−４に図示されるが、特定を要求する任意のタイプの混雑したアセット環境が、本開示の範囲から逸脱することなく、使用されてもよい。加えて、比較的に少数のアセットが、理解を支援するために、図１−４に図示されるが、混雑したアセット環境は、本開示の範囲から逸脱することなく、より大きいまたはより小さい数のアセットを有してもよい。例えば、倉庫は、追跡される必要がある多数（例えば、数百または数千個）の小型の箱を含有してもよい。対照的に、倉庫は、それぞれが多数のセンサを要求し、したがって、個別のセンサ（およびその関連付けられた送受信機）の特定を困難にする、比較的に少数（例えば、３〜５個）のアセットを含有してもよい。
【００３３】
本開示は、付加的コストをセンサシステムに追加せずに、混雑したアセット環境内でのセンサ特定の必要性に対処する。本開示は、高密度センサが位置し、ある製品を識別する必要がある、任意の混雑したアセット環境内に適用可能であり得る。ＢＴＬＥが、例示的ＲＦ解決策として説明されるが、送信機の正確な特定が可能である低電力を用いたサブモードを提供する、任意のワイヤレス技術（例えば、ＷｉＦｉ、Ｂｌｕｅｔｏｏｔｈ（登録商標）、ＳｕｂＧＨｚ、２．４ＧＨｚ）が、使用されてもよい。
【図１】
2018530802.tif 000003
【図２】
2018530802.tif 000004
【図３】
2018530802.tif 000005
【図４】
2018530802.tif 000006
【国際調査報告】
2018530802.tif 000007
2018530802.tif 000008
2018530802.tif 000009